(57)【要約】      （修正有） 【課題】無断開封を抑止するとともに、開封された場合にはその形跡が残る無断開封抑止機能付カードを提供する。【解決手段】所定のスペース１８が形成された第１平面部１２と、第１平面部と面接可能に構成され第１平面部と面接することによりスペース１８の少なくとも一部を覆う第２平面部１４と、第１平面部と第２平面部とを相互に接着する接着部１６と、を有する無断開封抑止機能付カード１０であって、第２平面部は、第１平面部と面接し接着部１６により接着した状態から開封するときに切り取られる切取線と、切取線で切り取られたときに第１平面部側に残る形跡部と、切取線で切り取られたときにスペース１８の少なくとも一部を露出させる開封部と、を有する。【選択図】図１
0003190519.tif 000002
【実用新案登録請求の範囲】
【請求項１】
所定のスペースが形成された第１平面部と、
前記第１平面部と面接可能に構成され、前記第１平面部と面接することにより前記スペースの少なくとも一部を覆う第２平面部と、
前記第１平面部と前記第２平面部とを相互に接着する接着部と、
を有する無断開封抑止機能付カードであって、
前記第２平面部は、
前記第１平面部と面接し前記接着部により接着した状態から開封するときに切り取られる切取線と、
前記切取線で切り取られたときに前記第１平面部側に残る形跡部と、
前記切取線で切り取られたときに前記スペースの少なくとも一部を露出させる開封部と、
を有することを特徴とする無断開封抑止機能付カード。
【請求項２】
前記スペースには、メッセージ記入欄が形成され、
前記メッセージ記入欄は、前記第１平面部に面接した前記第２平面部により覆われることを特徴とする請求項１に記載の無断開封抑止機能付カード。
【請求項３】
前記接着部は、前記第２平面部の前記第１平面部と面接する側に設けられていることを特徴とする請求項１又は２に記載の無断開封抑止機能付カード。
【請求項４】
前記第１平面部と前記第２平面部は、所定の広告を表示するための広告表示スペースを有することを特徴とする請求項１乃至３のいずれか１項に記載の無断開封抑止機能付カード。
【考案の詳細な説明】
【技術分野】
【０００１】
本考案は、例えば、無断開封抑止機能付カードに関する。
【背景技術】
【０００２】
現在、日常生活やビジネス社会において、メッセージカードが使用されている。また、メッセージカードの様々なデザイン、種類あるいは機能が開発されている。
【先行技術文献】
【特許文献】
【０００３】
【特許文献１】実用新案登録第３１２６０８１号公報
【考案の概要】
【考案が解決しようとする課題】
【０００４】
ところで、メッセージカードの内部に設けられたメッセージ記入欄には、例えば、直筆でメッセージが記入されており、このメッセージ記入欄を閉じるようにして使用されるが、所有者に無断で開封されるおそれもある。特に、メッセージカードを開封した後、メッセージ記入欄の内容を確認して再度閉じるようなことも可能である。
【０００５】
そこで、本考案は、上記問題を解決するためのものであり、無断開封を抑止するとともに、開封された場合にはその形跡が残る無断開封抑止機能付カードを提供することを目的とする。
【課題を解決するための手段】
【０００６】
本考案は、所定のスペースが形成された第１平面部と、前記第１平面部と面接可能に構成され、前記第１平面部と面接することにより前記スペースの少なくとも一部を覆う第２平面部と、前記第１平面部と前記第２平面部とを相互に接着する接着部と、を有する無断開封抑止機能付カードであって、前記第２平面部は、前記第１平面部と面接し前記接着部により接着した状態から開封するときに切り取られる切取線と、前記切取線で切り取られたときに前記第１平面部側に残る形跡部と、前記切取線で切り取られたときに前記スペースの少なくとも一部を露出させる開封部と、を有することを特徴とする。
【０００７】
前記スペースには、メッセージ記入欄が形成され、前記メッセージ記入欄は、前記第１平面部に面接した前記第２平面部により覆われることが好ましい。
【０００８】
前記接着部は、前記第２平面部の前記第１平面部と面接する側に設けられていることが好ましい。
【０００９】
前記第１平面部と前記第２平面部は、所定の広告を表示するための広告表示スペースを有することが好ましい。
【考案の効果】
【００１０】
本考案によれば、第１平面部のスペースを露出するときに、第２平面部の切取線を切り取る。これにより、第２平面部の一部である形跡部が第１平面部側に残り、第２平面部の一部である開封部がスペースの少なくとも一部を露出させる。これにより、開封したときには必ずその形跡が残るため、無断開封を知らせることができる。また、無断開封を事前に防ぐことも可能になる。
【００１１】
また、メッセージ記入欄にメッセージを記入することができる。また、メッセージ記入欄の無断開封が抑止されるため、記入内容の秘密性が維持される。
【００１２】
また、接着部が第２平面部の第１平面部と面接する側に設けられていることにより、カードの封止作業が容易になる。
【００１３】
さらに、無断開封抑止機能付カードに広告宣伝機能を持たせることができる。
【図面の簡単な説明】
【００１４】
【図１】本考案の第１実施形態の無断開封抑止機能付カードが開封した状態を示した図である。
【図２】本考案の第１実施形態の無断開封抑止機能付カードが閉じた状態を示した図である。
【考案を実施するための形態】
【００１５】
本考案の第１実施形態に係る無断開封抑止機能付カードについて、図面を参照して説明する。なお、無断開封抑止機能付カードは、例えば、紙媒体で形成されている。
【００１６】
図１及び図２に示すように、無断開封抑止機能付カード１０は、例えば、所定のスペースが形成された第１平面部１２と、第１平面部１２と面接可能に構成され第１平面部１２と面接することによりスペース１８の少なくとも一部を覆う第２平面部１４と、第１平面部１２と第２平面部１４とを相互に接着する接着部１６と、を有する。
【００１７】
第１平面部１２の正面側には、所定のスペース１８が形成されている。スペース１８には、例えば、メッセージを記入するためのメッセージ記入欄１８Ａと、宛名等を記入するための宛名記入欄１８Ｂと、が形成されている。
【００１８】
ここで、本実施形態では、メッセージ記入欄１８Ａは、第２平面部１４が折線ＢＬで折り返された場合に第２平面部１４で覆われる領域に位置している。また、宛名記入欄１８Ｂは、第２平面部１４が折線ＢＬで折り返された場合に第２平面部１４が重ならない領域に位置している。
【００１９】
第２平面部１４は、例えば、第１平面部１２と面接し接着部１６により接着した状態から開封するときに切り取られる切取線ＣＬと、切取線ＣＬで切り取られたときに第１平面部１２側に残る形跡部１４Ａと、切取線ＣＬで切り取られたときにスペース１８の少なくとも一部を露出させる開封部１４Ａと、を有する。
【００２０】
すなわち、第２平面部１４は、切取線ＣＬを境界にして形跡部１４Ａと開封部１４Ｂとに区画される。切取線ＣＬとして、例えば、ミシン線が利用される。
【００２１】
第２平面部１４の正面側には、形跡部１４Ａと開封部１４Ｂとに跨って接着部１６が設けられている。接着部１６は、例えば、第１平面部１２と第２平面部１４とが一旦接着した後であっても、引き剥がし可能な材質で構成されている。
【００２２】
第２平面部１４の正面側の接着部１６の上方には、保護シート２０が取り付けられている。保護シート２０は、形跡部１４Ａと開封部１４Ｂとにわたって貼り付けられる。保護シート２０は、未使用時に接着部１６を保護するシートであり、メッセージ記入欄１８Ａにメッセージを記入した後に、接着部１６から剥がされる。
【００２３】
保護シート２０の正面側に、無断開封抑止機能付カード１０の使用方法の説明を記載しておくことが好ましい。これにより、無断開封抑止機能付カード１０の使用方法の説明が目に付きやすく、使い勝手が良くなる。
【００２４】
保護シート２０の正面側に、所定の広告を表示するための広告表示スペースを設けてもよい。これにより、無断開封抑止機能付カード１０に広告宣伝機能を持たせることができる。
【００２５】
ここで、第２平面部１４は、第１平面部１２に対して一体的に形成されている。詳細には、第１平面部１２と第２平面部１４との境界には折線ＢＬが形成されており、折線ＢＬにて第２平面部１４が折り返されて第１平面部１２と面接可能になる。
【００２６】
また、第１平面部１２及び第２平面部１４の背面側には、例えば、社名等を表示するための広告表示スペースとして利用することができる。特に、第２平面部１４が第１平面部１２と接着したときには、第１平面部１２及び第２平面部１４の背面側が目に付き易くなり、広告宣伝効果を高めることが可能になる。
【００２７】
次に、無断開封抑止機能付カード１０の使用方法について説明する。
【００２８】
図１に示すように、無断開封抑止機能付カード１０の使用前の状態において、メッセージ記入欄１８Ａに所定のメッセージを記入し、宛名記入欄１８Ｂに所定の宛名を記入する。
【００２９】
次に、第２平面部１４側に貼り付けられた保護シート２０を剥がす。これにより、第２平面部１４の接着部１６が露出する。そして、図２に示すように、折線ＢＬを基準として、第２平面部１４側を第１平面部１２側に向かって折り返す。これにより、第１平面部１２の正面側と第２平面部１４の正面側とが面接して、両者が接着部１６により接着する。
【００３０】
このとき、第１平面部１２のメッセージ記入欄１８Ａは、第２平面部１４に完全に覆われた状態になり、外部から視認することができない。また、宛名記入欄１８Ｂは、第２平面部１４で覆われず、外部から視認することができる。これにより、宛名記入欄１８Ｂの宛名を外部に露出しつつ、メッセージ記入欄１８Ａの内容を秘密の状態で維持することができる。
【００３１】
次に、無断開封抑止機能付カード１０を受け取った本人が、第２平面部１４の開封部１４Ｂを切取線ＣＬで切断しながら剥がす。開封部１４Ｂを第１平面部１２側から完全に剥がすことにより、メッセージ記入欄１８Ａが露出してメッセージの内容を確認することが可能になる。
【００３２】
このとき、第２平面部１４の一部を構成していた形跡部１４Ａが第１平面部１２に接着された状態で残る。換言すれば、無断開封抑止機能付カード１０を開封するときには、第２平面部１４が開封部１４Ｂと形跡部１４Ａに分断され、形跡部１４Ａだけが第１平面部側に接着した状態になる。これにより、無断開封抑止機能付カード１０が一度開封されていたことが判明する。
【００３３】
また、無断開封抑止機能付カード１０の開封時において第２平面部１４が分断されることは、容易に想像することが可能であるため、無断開封抑止機能付カード１０の無断開封を抑制する効果も発揮する。
【００３４】
なお、上記実施形態は一例を示したものであり、様々な設計変更が可能である。
【００３５】
例えば、第２平面部１４の切取線ＣＬの近傍に切欠き部（図示省略）を設けておくことにより、開封部１４Ｂの端部を指の爪等で剥離し易くなる。これにより、開封作業が容易になる。
【００３６】
また、第１平面部１２と第２平面部１４とが一体形成された構成を示したが、これに限られるものではない。例えば、第１平面部１２と第２平面部１４とを分離した紙媒体で形成され、使用時において第２平面部１４の保護シート２０を剥がし、第１平面部１２側に接着するように構成してもよい。
【符号の説明】
【００３７】
１０      無断開封抑止機能付カード
１２      第１平面部
１４      第２平面部
１４Ａ    形跡部
１４Ｂ    開封部
１６      接着部
１８      スペース
１８Ａ    メッセージ記入欄
１８Ｂ    宛名記入欄
２０      保護シート
ＢＬ      折線
ＣＬ      切取線
【図１】
0003190519.tif 000003
【図２】
0003190519.tif 000004